(57)【要約】      （修正有）【課題】移動局装置においてサービスの提供を受けるまでの遅延を少なくさせ、又はシグナリングの増加を低減させる方法を提供する。【解決手段】複数の通信経路のうち少なくとも１つの通信経路を経由して移動局装置１００との間に通信セッションを設定する制御装置４００において、第１及び第２の無線通信方式に対応した移動局装置との間で第１の通信セッションを確立し、確立した第１の通信セッションを利用して移動局装置から送信された移動局装置に関する移動局情報を受信し、移動局情報に基づいて、第１及び第２の無線通信方式のうち第１の無線通信方式を選択し、選択された第１の無線通信方式に関する情報に従って、第１の無線通信方式を用いて移動局装置と無線通信を行う第１の基地局装置を経由して制御装置と移動局装置との間で確立された前記第１の通信セッションを利用して、移動局装置へコンテンツデータを送信する。【選択図】図９
2018148478.tif 000002
【特許請求の範囲】
【請求項１】
複数の通信経路のうち少なくとも１つの通信経路を経由して移動局装置との間に通信セッションを設定する制御装置において、
第１及び第２の無線通信方式に対応した前記移動局装置との間で第１の通信セッションを確立し、確立した前記第１の通信セッションを利用して前記移動局装置から送信された前記移動局装置に関する移動局情報を受信する情報処理部と、
前記移動局情報に基づいて、前記第１及び第２の無線通信方式のうち前記第１の無線通信方式を選択する無線方式選択部と、
選択された前記第１の無線通信方式に関する情報に従って、前記第１の無線通信方式を用いて前記移動局装置と無線通信を行う第１の基地局装置を経由して前記制御装置と前記移動局装置との間で確立された前記第１の通信セッションを利用して、前記移動局装置へコンテンツデータを送信する経路変更処理部と
を備えることを特徴とする制御装置。
【請求項２】
前記移動局情報は、前記第１の基地局装置と前記移動局装置との間の通信品質に関する第１の通信品質情報と、前記第２の無線通信方式を用いて前記移動局装置と無線通信を行う第２の基地局装置と前記移動局装置との間の通信品質に関する第２の通信品質情報とを含み、
前記無線方式選択部は、前記第１及び第２の通信品質情報に基づいて、前記第１の無線通信方式を選択することを特徴とする請求項１記載の制御装置。
【請求項３】
前記無線方式選択部は、前記移動局情報に基づいて、前記第２の無線通信方式を選択し、
前記経路変更処理部は、前記情報処理部が前記第２の無線通信方式を用いて前記移動局装置と無線通信を行う第２の基地局装置を経由して前記制御装置と前記移動局装置との間の前記第２の通信セッションを確立したとき、選択された前記第２の無線通信方式に関する情報に従って、前記第２の通信セッションを利用して前記移動局装置へコンテンツデータを送信する、
ことを特徴とする請求項１記載の制御装置。
【請求項４】
移動局装置と、
前記移動局装置と無線通信を行う第１の基地局装置と、
複数の通信経路のうち少なくとも１つの通信経路を経由して前記移動局装置との間に通信セッションを設定する制御装置と
を備えた移動通信システムであって、
前記制御装置は、
第１及び第２の無線通信方式に対応した前記移動局装置との間で第１の通信セッションを確立し、確立した前記第１の通信セッションを利用して前記移動局装置から送信された前記移動局装置に関する移動局情報を受信する情報処理部と、
前記移動局情報に基づいて、前記第１及び第２の無線通信方式のうち前記第１の無線通信方式を選択する無線方式選択部と、
選択された前記第１の無線通信方式に関する情報に従って、前記第１の無線通信方式を用いて前記移動局装置と無線通信を行う前記第１の基地局装置を経由して前記制御装置と前記移動局装置との間で確立された前記第１の通信セッションを利用して、前記移動局装置へコンテンツデータを送信する経路変更処理部と
を備えることを特徴とする移動通信システム。
【請求項５】
情報処理部と、無線方式選択部と、経路変更処理部とを有し、複数の通信経路のうち少なくとも１つの通信経路を経由して移動局装置との間に通信セッションを設定する制御装置における制御方法であって、
前記情報処理部により、第１及び第２の無線通信方式に対応した移動局装置との間で第１の通信セッションを確立し、確立した前記第１の通信セッションを利用して前記移動局装置から送信された前記移動局装置に関する移動局情報を受信し、
前記無線方式選択部により、前記移動局情報に基づいて、前記第１及び第２の無線通信方式のうち前記第１の無線通信方式を選択し、
前記経路変更処理部により、選択された前記第１の無線通信方式に関する情報に従って、前記第１の無線通信方式を用いて前記移動局装置と無線通信を行う第１の基地局装置を経由して前記制御装置と前記移動局装置との間で確立された前記第１の通信セッションを利用して、前記移動局装置へコンテンツデータを送信する
ことを特徴とする制御方法。
【発明の詳細な説明】
【技術分野】
【０００１】
本発明は、制御装置、移動通信システム、及び制御方法に関する。
【背景技術】
【０００２】
移動局装置を利用するユーザが多く集まるような場所では、ＬＴＥ（Long Term Evolution）などの無線アクセス方式だけではなく、無線ＬＡＮ（Wireless Local Area Network。以下では、「ＷＬＡＮ」と称する場合がある。）などの無線アクセス方式も利用可能となっている。この場合、ユーザ（又は移動局装置）は、例えば、ＷＬＡＮを優先的して利用することが可能である。ＬＴＥからＷＬＡＮへの切り替え制御のことを、例えば、オフロードと称する場合がある。ＷＬＡＮへの切り替えにより、例えば、ＬＴＥシステムに対する負荷軽減を図り、ユーザにとってもＬＴＥ回線よりも低価格のＷＬＡＮ回線の利用により通信料金の支払いを少なくすることが可能となる。
【０００３】
他方、移動体通信事業者（ＭＮＯ：Mobile Network Operator）の回線や機能を利用してサービスの提供を行う仮想移動体通信事業者（ＭＶＮＯ：Mobile Virtual Network Operator）が急速に普及しつつある。仮想移動体通信事業者においても、ＬＴＥからＷＬＡＮへの切り替えによって、ＬＴＥ回線の利用機会が少なくなり、コスト削減を図ることも可能である。
【０００４】
このような移動通信に関する技術としては、例えば、ＭＰＴＣＰ（Multi Path TCP (Transmission Control Protocol)）がある。ＭＰＴＣＰは、例えば、ＩＦＴＦ（Internet Engineering Task Force：インターネット技術タスクフォース）が策定しているＴＣＰの改良プロトコルであって、複数の経路をＴＣＰ接続させる技術である。これにより、例えば、ネットワークのリソースを最大化させ、経路に対する冗長性を高めることが可能となる。また、これにより、例えば、移動局装置は、ＬＴＥを利用して通信が行われる経路と、ＷＬＡＮを利用して通信が行われる経路とを組み合わせたり、一方を選択したりして、通信を行うことも可能となる。
【０００５】
また、移動通信に関する技術として、例えば、以下がある。すなわち、移動局は、各ネットワークのＡＰ情報管理サーバから無線通信サービス情報を受信し、無線通信サービス情報とアプリケーション情報に基づき最先の接続先となる無線ＡＰ（Access Point）を決定し、決定した無線ＡＰから同時接続処理を開始する技術がある。この技術によれば、複数の無線通信接続サービスを同時に利用し且つ代理サーバによりコンテンツを提供するネットワークシステムにおいて、最適な通信経路を形成することが可能である、とされる。
【先行技術文献】
【特許文献】
【０００６】
【特許文献１】特開２０１６−１４４０５９号公報
【発明の概要】
【発明が解決しようとする課題】
【０００７】
しかしながら、ＭＰＴＣＰでは、利用されない通信セッションが存在する場合でも、使用可能性のある全通信経路に対して通信セッションが設定（又は確立）される場合がある。例えば、以下のような場合がある。すなわち、移動局装置は、接続先を切り替えて、切り替えた先で、ＬＴＥとＷＬＡＮの双方を使用可能な場合、ＬＴＥを用いて無線通信を行う基地局装置経由の経路と、ＷＬＡＮを用いて無線通信を行うアクセスポイント経由の経路の２つの経路に対して、通信セッションを設定する。このとき、移動局装置は、ＬＴＥを用いて無線通信を行わないときでも、基地局装置経由の経路に対して通信セッションを設定することになる。この場合、使用されない経路に対する通信セッションの設定により、そのような通信セッションに対する設定処理が行われない場合と比較して、移動局装置では処理が増加し、そのため消費電力が増加する。また、この場合、１つの通信セッションを設定する場合と比較して、移動後サービスの提供を受けるまでの遅延が大きくなり、シグナリングも増加する。
【０００８】
また、無線通信サービス情報とアプリケーション情報に基づき最先の接続先となる無線ＡＰを決定する技術は、使用されない通信セッションに対する設定処理によって、移動局装置の消費電力が増加する場合にどのように対処するかについては何ら議論されていない。
【０００９】
そこで、一開示は、移動局装置の消費電力を削減させるようにした制御装置、移動通信システム、及び制御方法を提供することにある。
【００１０】
また、一開示は、移動局装置においてサービスの提供を受けるまでの遅延を少なくさせ、又はシグナリングの増加を低減させるようにした制御装置、移動通信システム、及び制御方法を提供することにある。
【課題を解決するための手段】
【００１１】
一開示は、複数の通信経路のうち少なくとも１つの通信経路を経由して移動局装置との間に通信セッションを設定する制御装置において、第１及び第２の無線通信方式に対応した前記移動局装置との間で第１の通信セッションを確立し、確立した前記第１の通信セッションを利用して前記移動局装置から送信された前記移動局装置に関する移動局情報を受信する情報処理部と、前記移動局情報に基づいて、第１及び第２の無線通信方式のうち前記第１の無線通信方式を選択する無線方式選択部と、選択された前記第１の無線通信方式に関する情報に従って、前記第１の無線通信方式を用いて前記移動局装置と無線通信を行う第１の基地局装置を経由して前記制御装置と前記移動局装置との間で確立された前記第１の通信セッションを利用して、前記移動局装置へコンテンツデータを送信する経路変更処理部とを備える。
【発明の効果】
【００１２】
一開示によれば、移動局装置の消費電力を削減させることができる。また、一開示によれば、サービス提供の遅延を少なくさせ、又はシグナリングの増加を低減させることができる。
【図面の簡単な説明】
【００１３】
【図１】図１は移動通信システムの構成例を表す図である。
【図２】図２（Ａ）は移動局装置の構成例、図２（Ｂ）は移動局装置のハードウェア構成例をそれぞれ表す図である。
【図３】図３（Ａ）はＬＴＥ基地局装置、図２（Ｂ）はアクセスポイントの各構成例を表す図である。
【図４】図４は、ＬＴＥ基地局又はアクセスポイントのハードウェア構成例を表す図である。
【図５】図５（Ａ）は制御装置の構成例、図５（Ｂ）は制御装置のハードウェア構成例をそれぞれ表す図である。
【図６】図６は動作例を表すシーケンス図である。
【図７】図７（Ａ）はＭＰＴＣＰセッション確立処理、図７（Ｂ）は経路追加処理の例をそれぞれ表すシーケンス図である。
【図８】図８（Ａ）はパケット、図８（Ｂ）はＴＣＰヘッダの各構成例を表す図である。
【図９】図９は動作例を表すシーケンス図である。
【図１０】図１０は動作例を表すシーケンス図である。
【図１１】図１１（Ａ）はＨＴＴＰデータの構成例、図１１（Ｂ）はＴＣＰセッション確立処理の例をそれぞれ表す図である。
【図１２】図１２は動作例を表すシーケンス図である。
【図１３】図１３は動作例を表すフローチャートである。
【図１４】図１４は移動通信システムの構成例を表す図である。
【図１５】図１５は制御装置の構成例を表す図である。
【図１６】図１６は動作例を表すシーケンス図である。
【図１７】図１７は動作例を表すシーケンス図である。
【発明を実施するための形態】
【００１４】
以下、本発明を実施するための形態について説明する。なお、以下の実施例は開示の技術を限定するものではない。そして、各実施の形態は、処理内容を矛盾させない範囲で適宜組み合わせることが可能である。
【００１５】
また、本明細書で使用している用語や本明細書に記載した技術的内容は、３ＧＰＰやＩＥＥＥなどにおいて通信に関する規格として仕様書に記載された用語や技術的内容が適宜用いられてもよい。
【００１６】
［第１の実施の形態］
＜移動通信システムの構成例＞
図１は第１の実施の形態における移動通信システム１０の構成例を表す図である。図１に示すように、移動通信システム１０は、移動局装置（ＭＮ（Mobile Node））１００と、ＬＴＥ基地局装置（ｅＮＢ（evolved Node B））２００、アクセスポイント（ＡＰ（Access Point）＃１，＃２）３００−１，３００−２を備える。また、移動通信システム１０は、制御装置（ＣＯＮＴ）４００とコンテンツサーバ（ＣＳ）５００を備える。
【００１７】
なお、以下においては、移動局装置１００を移動局１００、ＬＴＥ基地局装置２００をＬＴＥ基地局２００とそれぞれ称する場合がある。また、アクセスポイント３００−１，３００−２も、とくに断らない限り、アクセスポイント３００と称する場合がある。
【００１８】
移動局１００は、例えば、フィーチャーフォン、スマートフォン、タブレット端末、パーソナルコンピュータ、ゲーム装置などの無線通信装置である。移動局１００は、ＬＴＥとＷＬＡＮの２つの無線通信方式（ＲＡＴ（Radio Access Technology））を利用して無線通信が可能である。すなわち、移動局１００は、ＬＴＥを利用して、ＬＴＥ基地局２００と無線通信を行い、ＷＬＡＮを利用して、アクセスポイント３００と無線通信を行うことが可能である。移動局１００は、このような無線通信を介して、コンテンツサーバ５００から様々なコンテンツデータを取得することが可能である。
【００１９】
また、移動局１００は、例えば、アクセスポイント３００やＬＴＥ基地局２００を介して、制御装置４００との間で通信セッションを確立することが可能である。通信セッションとしては、例えば、ＭＰＴＣＰやＴＣＰなどがある。移動局１００は、通信セッションを利用して、コンテンツを取得することができる。通信セッションの確立については動作例で説明する。
【００２０】
さらに、移動局１００は、通信セッションを利用して、制御装置４００へ移動局情報を送信することが可能である。移動局情報は、例えば、ユーザ情報、サービスの種別を表す情報、無線情報、経路情報などを含む。ユーザ情報としては、例えば、ユーザＩＤ（Identification）などの移動局１００の識別情報がある。無線情報としては、例えば、移動局１００とＬＴＥ基地局２００との間の無線区間における通信品質情報や、移動局１００とアクセスポイント３００との間の無線区間における通信品質情報がある。経路情報としては、例えば、移動局１００がＬＴＥ方式を用いて無線通信を行うときに使用するＩＰ（Internet Protocol）アドレスや、ＷＬＡＮ方式を用いて無線通信を行うときに使用するＩＰアドレスなどがある。詳細については動作例で説明する。
【００２１】
なお、図１の例では、移動局１００は、アクセスポイント３００−１のサービス提供可能範囲（又は通信可能範囲）に在圏し、アクセスポイント３００−１と無線通信を行った後、アクセスポイント３００−２のサービス提供可能範囲へ移動している。移動局１００は、その間、ＬＴＥ基地局２００のサービス提供可能範囲に在圏し、ＬＴＥ基地局２００と無線通信を行うことが可能である。
【００２２】
なお、無線通信方式のことを、以下では、ＲＡＴ（Radio Access Technology：無線アクセステクノロジー）と称する場合がある。
【００２３】
ＬＴＥ基地局２００とアクセスポイント３００−１，３００−２は、例えば、自局のサービス提供可能範囲において移動局１００に対してサービスを提供することが可能な基地局装置又は無線通信装置である。ＬＴＥ基地局２００は、ＬＴＥによる無線通信方式を利用して移動局１００と無線通信を行う。一方、アクセスポイント３００−１，３００−２は、ＷＬＡＮによる無線通信方式を利用して移動局１００と無線通信を行う。
【００２４】
なお、ＬＴＥ基地局２００は、例えば、ＬＴＥ以外にも、ＬＴＥ−ＡｄｖａｎｃｅｄやＷ−ＣＤＭＡ（Wideband Code Division Multiple Access）による無線通信方式を利用して無線通信を行っても良い。或いは、ＬＴＥ基地局２００は、例えば、３Ｇ（3th Generation Mobile Networks or 5the Generation Wireless System）や５Ｇ（5th Generation Mobile Networks or 5the Generation Wireless System）による無線通信方式を利用して無線通信を行ってもよい。これらの無線通信方式では、例えば、ＬＴＥ基地局２００は移動局１００に対し、無線リソース（周波数リソースや時間リソースなど）の割り当てを行い、その割り当て結果に従って、ＬＴＥ基地局２００と移動局１００が無線通信を行う方式である。このような割り当てのことを、例えば、スケジューリングと称する場合がある。ＬＴＥ基地局２００は、例えば、スケジューリングによる無線通信方式を利用して無線通信を行う。
【００２５】
一方、ＷＬＡＮは、例えば、キャリアセンスを利用して無線通信を行う方式である。キャリアセンスは、例えば、移動局１００やアクセスポイント３００において、周波数の利用状況を検知し、同一周波数で複数の搬送波（又はキャリア）が送信されないようにする通信方式である。具体的には、キャリアセンスは、例えば、通信装置において搬送波周波数における無線信号の受信電力レベルに応じて（例えば、受信電力レベルが閾値より高ければ通信を行わず、閾値以下であれば通信を行う）通信を行うようにした通信方式でもある。キャリアセンスの例として、例えば、ＣＳＭＡ／ＣＡ（Carrier Sense Multiple Access/Collision Access：搬送波感知多重アクセス／衝突回避方式）やＣＳＭＡ／ＣＤ（Carrier Sense Multiple Access/Collision Detection：搬送波感知多重アクセス／衝突検出方式）などがある。ＣＳＭＡ／ＣＡなどは、例えば、キャリアセンスとキャリアの衝突回避手順を組み合わせた方式となっている。このようなＷＬＡＮの一例として、例えば、ＷｉＦｉやＢｌｕｅｔｏｏｔｈ（登録商標）などがある。アクセスポイント３００は、例えば、キャリアセンスによる無線通信方式を利用して無線通信を行う。移動局１００においても、このような２つの無線通信方式に対応して、ＬＴＥ基地局２００やアクセスポイント３００と各々無線通信を行うことが可能となっている。
【００２６】
制御装置４００は、例えば、コンテンツサーバ５００に代わって、移動局１００との間で通信セッションの確立処理などを行う。通信セッションとしては、例えば、ＭＰＴＣＰやＴＣＰがある。制御装置４００は、例えば、ＭＰＴＣＰプロキシサーバやＴＣＰプロキシサーバとなり、コンテンツサーバ５００に代わって、通信セッションの確立処理を代行する。
【００２７】
また、制御装置４００は、移動局１００から送信された移動局情報に基づいて、例えば、ＷＬＡＮ又はＬＴＥのいずれかの無線通信方式を選択する。そして、制御装置４００は、選択した無線通信方式を利用するＬＴＥ基地局２００又はアクセスポイント３００を介して移動局１００へ、サービスを提供する。このように、制御装置４００が移動局１００で用いる無線通信方式を選択することで、移動局１００では選択処理を行わなくてもよくなるため、移動局１００における処理軽減を図ることができる。詳細は動作例で説明する。
【００２８】
コンテンツサーバ５００は、例えば、移動局１００から送信されたサービス要求に応じて、移動局１００に対してコンテンツ配信のサービスを提供する。コンテンツサーバ５００は、例えば、ＨＤＤ（Hard Disk Drive）などの大容量記憶媒体にコンテンツデータを記憶しており、サービス要求に応じて、記憶媒体からコンテンツデータを読み出して配信することが可能となっている。なお、サービス要求は、例えば、コンテンツデータ（又はサービス）の取得を移動局１００が要求していることを表している。
【００２９】
なお、図１に示す移動通信システム１０では、移動局１００は１台の例を示しているが、複数台あってもよい。また、アクセスポイント３００−１，３００−２についても３台以上あってもよいし、ＬＴＥ基地局２００も複数台あってもよい。
【００３０】
＜移動局の構成例＞
図２（Ａ）は移動局１００の構成例を表す図である。移動局１００は、アンテナ１０１，１０２、ＬＴＥ送受信部１１０、ＷＬＡＮ送受信部１２０、無線情報管理部１３０、ユーザ情報管理部１４０、サービス処理部１５０、情報処理部１６０、及び経路変更処理部１７０を備える。
【００３１】
アンテナ１０１は、ＬＴＥ送受信部１１０から受け取った無線信号をＬＴＥ基地局２００へ送信する。また、アンテナ１０１は、ＬＴＥ基地局２００から送信された無線信号を受信して、受信した無線信号をＬＴＥ送受信部１１０へ出力する。
【００３２】
アンテナ１０２は、ＷＬＡＮ送受信部１２０から受け取った無線信号をアクセスポイント３００へ送信する。また、アンテナ１０２は、アクセスポイント３００から送信された無線信号を受信し、受信した無線信号をＷＬＡＮ送受信部１２０へ出力する。
【００３３】
ＬＴＥ送受信部１１０は、ＬＴＥ基地局２００との間で無線確立処理を行う。例えば、ＬＴＥ送受信部１１０は、以下の処理を行う。すなわち、ＬＴＥ送受信部１１０は、プリアンブル信号やＲＲＣ（Radio Resource Control）  Ｃｏｎｎｅｃｔｉｏｎ  Ｒｅｑｕｅｓｔ信号などをＬＴＥ基地局２００へ送信する。そして、ＬＴＥ送受信部１１０は、ＬＴＥ基地局２００からＲＲＣ  Ｃｏｎｎｅｃｔｉｏｎ  Ｓｅｔｕｐ信号を受信する。これにより、移動局１００とＬＴＥ基地局２００との間で無線接続が確立される。
【００３４】
また、ＬＴＥ送受信部１１０は、ＬＴＥ基地局２００と無線確立後、ＬＴＥによる無線通信方式を利用して、ＬＴＥ基地局２００との間で無線信号を送信したり受信したりする。この際、ＬＴＥ送受信部１１０は、ＬＴＥ基地局２００から送信された制御信号を受信する。そして、ＬＴＥ送受信部１１０は、制御信号に含まれるスケジューリング結果に従って、経路変更処理部１７０や情報処理部１６０から受け取ったデータなどに対して、変調処理や周波数変換処理などを行い無線信号へ変換し、無線信号をアンテナ１０１へ出力する。また、ＬＴＥ送受信部１１０は、スケジューリング結果に従って、アンテナ１０１から受け取った無線信号に対して、周波数変換処理や復調処理などを行って、自局宛のコンテンツデータなどを抽出する。ＬＴＥ送受信部１１０は、抽出したコンテンツデータを経路変更処理部１７０へ出力し、他の情報などを情報処理部１６０へ出力する。
【００３５】
また、ＬＴＥ送受信部１１０は、例えば、アンテナ１０１から受け取った無線信号の受信電力を測定し、測定した受信電力に基づいて、移動局１００とＬＴＥ基地局２００との間の通信品質情報を算出する。通信品質情報としては、例えば、受信電力そのもの、ＳＮＲ（Signal to Noise Ratio）、ＳＩＮＲ（Signal to Interference plus Noise Ratio）、ＣＱＩ（Channel Quality Indication）、又はＣＳＩ（Channel State Indication）などでもよい。ＬＴＥ送受信部１１０は、算出した通信品質情報を無線情報管理部１３０へ出力する。
【００３６】
ＷＬＡＮ送受信部１２０は、アクセスポイント３００との間で、無線確立処理を行う。例えば、ＷＬＡＮ送受信部１２０は、以下の処理を行う。すなわち、ＷＬＡＮ送受信部１２０は、アクセスポイント３００から受信したビーコン信号から利用可能な周波数を検出し、検出した周波数を利用してＳＳＩＤ（Service Set Identifier）を含むアソシエーション要求信号を送信する。また、ＷＬＡＮ送受信部１２０は、アソシエーション要求信号に対応したアソシエーション応答信号をアクセスポイント３００から受信する。これにより、移動局１００とアクセスポイント３００との間で無線接続が確立される。
【００３７】
また、ＷＬＡＮ送受信部１２０は、アクセスポイント３００と無線確立後、ＷＬＡＮによる無線通信方式を利用して、アクセスポイント３００との間で無線信号を送信したり受信したりする。例えば、ＷＬＡＮ送受信部１２０は、ＣＳＭＡ／ＣＡなどのキャリアセンスを行って、ランダムなバックオフ時間の間に受信信号を検知しないとき、アンテナ１０２を介してアクセスポイント３００との間で無線信号を送信や受信を行う。この場合、ＷＬＡＮ送受信部１２０は、バックオフ時間に受信信号を検知したときは、所定時間待ってから、無線信号の送信や受信を行う。その際、ＷＬＡＮ送受信部１２０は、例えば、経路変更処理部１７０や情報処理部１６０から受け取ったデータや移動局情報などに対して、変調処理や周波数変換処理などを施して無線信号へ変換し、変換後の無線信号をアンテナ１０２へ出力する。また、その際、ＷＬＡＮ送受信部１２０は、例えば、アンテナ１０２から受け取った無線信号に対して周波数変換処理や復調処理などを施して無線信号からコンテンツデータなどを抽出する。ＷＬＡＮ送受信部１２０は、抽出したコンテンツデータを経路変更処理部１７０、抽出した情報などを情報処理部１６０へそれぞれ出力する。
【００３８】
なお、ＷＬＡＮ送受信部１２０は、例えば、アンテナ１０２から受け取った無線信号の受信電力を測定し、測定した受信電力に基づいて、移動局１００とアクセスポイント３００との間の通信品質情報を算出する。通信品質情報としては、例えば、受信電力そのもの、ＳＮＲ、ＳＩＮＲ、ＣＱＩ、又はＣＳＩなどでもよい。ＷＬＡＮ送受信部１２０は、算出した通信品質情報を無線情報管理部１３０へ出力する。
【００３９】
無線情報管理部１３０は、ＬＴＥ送受信部１１０とＷＬＡＮ送受信部１２０とから受け取った各通信品質情報を、例えば、無線情報として情報処理部１６０へ出力する。
【００４０】
ユーザ情報管理部１４０は、例えば、メモリであって、ユーザ情報を記憶する。ユーザ情報としては、例えば、移動局１００を利用するユーザのユーザＩＤや移動局１００の識別情報などでよい。
【００４１】
サービス処理部１５０は、例えば、ＨＴＴＰ（Hyper Text Transfer Protocol）に関する処理を実行する。これにより、例えば、サービス処理部１５０は、コンテンツサーバ５００からサービスの提供を受けることができる。すなわち、サービス処理部１５０は、コンテンツサーバ５００から送信されたＨＴＴＰによるデータ（以下、「ＨＴＴＰデータ」と称する場合がある。）を受信すると、ＨＴＴＰデータからコンテンツデータを抽出することで、コンテンツを取得する。また、サービス処理部１５０は、サービス要求を生成し、生成したサービス要求を情報処理部１６０へ出力する。この際、サービス処理部１５０は、サービス要求を含むＨＴＴＰデータを生成して、情報処理部１６０へ出力してもよい。
【００４２】
情報処理部１６０は、通信セッションに関する処理を行う。ＭＰＴＣＰの場合、情報処理部１６０は、ＬＴＥ基地局２００経由で制御装置４００までに至る経路と、アクセスポイント３００経由で制御装置４００までに至る経路の２つの経路において、ＭＰＴＣＰによる通信セッションを確立（又は設定）する。ＴＣＰの場合、情報処理部１６０は、２つの経路のうちいずれか一方の経路において、ＴＣＰによる通信セッションを確立する。移動局１００は、例えば、確立した通信セッションを利用して、制御装置４００との間でＨＴＴＰデータを送受信する。
【００４３】
また、情報処理部１６０は、無線情報管理部１３０から無線情報、ユーザ情報管理部１４０からユーザ情報、更に、内部メモリから経路情報を読み出して、これらの情報を含む移動局情報を生成する。そして、情報処理部１６０は、生成した移動局情報を、ＬＴＥ送受信部１１０又はＷＬＡＮ送受信部１２０を介して制御装置４００へ送信する。この際、情報処理部１６０は、例えば、サービス処理部１５０から受け取ったサービス要求を含むＨＴＴＰデータに対し、移動局情報を追加して挿入することで、サービス要求と移動局情報とを含むＨＴＴＰデータを生成することが可能となる。情報処理部１６０は、確立した通信セッションを利用して、生成したＨＴＴＰデータを制御装置４００へ送信する。
【００４４】
さらに、情報処理部１６０は、制御装置４００から送信された無線通信方式の情報を、ＬＴＥ送受信部１１０やＷＬＡＮ送受信部１２０から受け取った場合、受け取った無線通信方式の情報を経路変更処理部１７０へ出力する。情報処理部１６０は、無線通信方式の情報を受信しない場合でも、サービス要求送信後、所定時間内にサービス応答を受け取らないときは、ＬＴＥ送受信部１１０やＷＬＡＮ送受信部１２０に対して無線確立処理を指示したり、経路変更処理部１７０に対して経路変更指示を出力したりすることもできる。
【００４５】
経路変更処理部１７０は、ＬＴＥ送受信部１１０から受け取ったコンテンツデータをサービス処理部１５０へ出力したり、ＷＬＡＮ送受信部１２０から受け取ったコンテンツデータをサービス処理部１５０へ出力したりする。また、経路変更処理部１７０は、サービス処理部１５０から出力されたデータなどを受け取って、受け取ったデータなどをＬＴＥ送受信部１１０やＷＬＡＮ送受信部１２０へ出力したりする。この際、経路変更処理部１７０は、例えば、情報処理部１６０から無線通信方式の情報を受け取ったり、経路変更指示を受け取ったりした場合、受け取った無線通信方式の情報や経路変更指示に従って、経路の変更を行う。
【００４６】
例えば、経路変更処理部１７０は以下の処理を行う。すなわち、移動局１００とＬＴＥ基地局２００との間でデータなどが送受信されていた場合に、経路変更処理部１７０は、無線通信方式の情報として「ＷＬＡＮ」や経路変更指示を受け取った場合、経路を切り替える。具体的には、経路変更処理部１７０は、サービス処理部１５０とＷＬＡＮ送受信部１２０との間でデータが送受信されるようにする。これにより、移動局１００とＬＴＥ基地局２００の間の経路から、移動局１００とアクセスポイント３００の間の経路への変更が可能となる。或いは、移動局１００とアクセスポイント３００との間でデータなどが送受信されていた場合に、経路変更処理部１７０は、無線通信方式の情報として「ＬＴＥ」や経路変更指示を受け取った場合、経路を切り替える。具体的には、経路変更処理部１７０は、サービス処理部１５０とＬＴＥ送受信部１１０との間でデータが送受信されるようにする。これにより、移動局１００とアクセスポイント３００の間の経路から、移動局１００とＬＴＥ基地局２００の間の経路への変更が可能となる。
【００４７】
図２（Ｂ）は移動局１００のハードウェア構成例を表す図である。移動局１００は、ＣＰＵ（Central Processing Unit）１８０、ＲＯＭ（Read Only Memory）１８１、ＲＡＭ（Random Access Memory）１８２、メモリ１８３、ＬＴＥＲＦ（Radio Frequency）回路１８５、及びＷＬＡＮＲＦ回路１８６を備える。
【００４８】
ＣＰＵ１８０は、ＲＯＭ１８１に記憶されたプログラムを読み出し、読み出したプログラムをＲＡＭ１８２にロードして、ロードしたプログラムを実行することで、無線情報管理部１３０、サービス処理部１５０、情報処理部１６０、及び経路変更処理部１７０の機能を実行する。ＣＰＵ１８０は、例えば、無線情報管理部１３０、サービス処理部１５０、情報処理部１６０、及び経路変更処理部１７０に対応する。
【００４９】
また、メモリ１８３は、例えば、ユーザ情報管理部１４０と情報処理部１６０の内部メモリに対応する。さらに、例えば、ＬＴＥＲＦ回路１８５はＬＴＥ送受信部１１０、ＷＬＡＮＲＦ回路１８６はＷＬＡＮ送受信部１２０にそれぞれ対応する。
【００５０】
＜ＬＴＥ基地局の構成例＞
図３（Ａ）はＬＴＥ基地局２００の構成例を表す図である。ＬＴＥ基地局２００は、アンテナ２０１、ＬＴＥ送受信部２１０、通信処理部２２０、及びネットワーク送受信部２３０を備える。
【００５１】
アンテナ２０１は、ＬＴＥ送受信部２１０から受け取った無線信号を移動局１００へ送信する。また、アンテナ２０１は、移動局１００から送信された無線信号を受信し、受信した無線信号をＬＴＥ送受信部２１０へ出力する。
【００５２】
ＬＴＥ送受信部２１０は、移動局１００との間で無線確立処理を行う。例えば、ＬＴＥ送受信部２１０は、移動局１００から送信されたプリアンブル信号やＲＲＣ  Ｃｏｎｎｅｔｉｏｎ  Ｒｅｑｕｅｓｔ信号に対して応答信号やＲＲＣ  Ｃｏｎｎｅｃｔｉｏｎ  Ｒｅｓｐｏｎｓｅ信号をそれぞれ生成し、生成したこれらの信号を移動局１００へ送信する。
【００５３】
また、ＬＴＥ送受信部２１０は、移動局１００との間で無線確立後、スケジューリング結果に従って、移動局１００との間で無線通信を行う。例えば、ＬＴＥ送受信部２１０は、通信処理部２２０から受け取ったコンテンツデータなどに対して、スケジューリング結果に従って、変調処理や周波数変換処理などを施して無線信号へ変換し、変換後の無線信号をアンテナ２０１へ出力する。また、ＬＴＥ送受信部２１０は、例えば、スケジューリング結果に従って、無線信号に対して周波数変換処理や復調処理などを施して、無線信号からサービス要求などを抽出し、抽出したサービス要求などを通信処理部２２０へ出力する。
【００５４】
通信処理部２２０は、例えば、ＬＴＥによる無線通信に関してスケジューリングを行い、スケジューリング結果を含む制御信号を生成する。通信処理部２２０は、生成した制御信号を、ＬＴＥ送受信部２１０を介して移動局１００へ送信する。また、通信処理部２２０は、ＬＴＥ送受信部２１０から受け取ったサービス要求などをネットワーク送受信部２３０へ出力する。さらに、通信処理部２２０は、ネットワーク送受信部２３０から受け取ったコンテンツデータなどをＬＴＥ送受信部２１０へ出力する。
【００５５】
ネットワーク送受信部２３０は、例えば、制御装置４００との間でパケットを交換する。すなわち、ネットワーク送受信部２３０は、例えば、通信処理部２２０から受け取ったサービス要求などを含むパケットを生成し、生成したパケットを制御装置４００へ送信する。また、ネットワーク送受信部２３０は、例えば、制御装置４００から送信されたパケットを受信し、受信したパケットからコンテンツデータなどを抽出し、抽出したコンテンツデータなどを通信処理部２２０へ出力する。
【００５６】
図４は、ＬＴＥ基地局２００のハードウェア構成例を表す図である。ＬＴＥ基地局２００は、ＣＰＵ２５０、ＲＯＭ２５１、ＲＡＭ２５２、メモリ２５３、ＬＴＥＲＦ回路２６０、及びアンテナ２０１を備える。
【００５７】
ＣＰＵ２５０は、ＲＯＭ２５１に記憶されたプログラムを読み出し、ＲＡＭ２５２にロードし、ロードしたプログラムを実行することで、通信処理部２２０の機能を実行する。ＣＰＵ２５０は、例えば、通信処理部２２０に対応する。
【００５８】
また、ＬＴＥＲＦ回路２６０は、例えば、ＬＴＥ送受信部２１０に対応する。さらに、ネットワークインターフェース２７０は、例えば、ネットワーク送受信部２３０に対応する。
【００５９】
＜アクセスポイントの構成例＞
図３（Ｂ）はアクセスポイント３００の構成例を表す図である。アクセスポイント３００は、アンテナ３０１、ＷＬＡＮ送受信部３１０、通信処理部３２０、及びネットワーク送受信部３３０を備える。
【００６０】
アンテナ３０１は、ＷＬＡＮ送受信部３１０から受け取った無線信号を移動局１００へ送信する。また、アンテナ３０１は、移動局１００から送信された無線信号を受信し、受信した無線信号をＷＬＡＮ送受信部３１０へ出力する。
【００６１】
ＷＬＡＮ送受信部３１０は、移動局１００との間で無線確立処理を行う。例えば、ＷＬＡＮ送受信部３１０は、所定周波数を利用してビーコン信号を送信し、移動局１００から受信したアソシエーション要求信号に対してアソシエーション応答信号を送信することで処理を行う。
【００６２】
また、ＷＬＡＮ送受信部３１０は、無線確立後、例えば、ＣＳＭＡ／ＣＡなどのキャリアセンスを行って、ランダムなバックオフ時間の間に受信信号を検知しないとき、アンテナ３０１を介して移動局１００との間で無線信号の送信や受信を行う。この場合、ＷＬＡＮ送受信部３１０は、バックオフ時間に受信信号を検知したときは、所定時間経過後、配下の全移動局１００へＡｃｋ（肯定応答）信号を送信するなどの処理を行う。そして、無線信号の送信の際は、例えば、ＷＬＡＮ送受信部３１０は通信処理部３２０から受け取ったコンテンツデータなどに対して、変調処理や周波数変換処理などを施して無線信号へ変換し、変換後の無線信号をアンテナ３０１へ出力する。また、無線信号の受信の際は、例えば、ＷＬＡＮ送受信部３１０はアンテナ３０１から受け取った無線信号に対して、周波数変換処理や復調処理などを施してサービス要求などを抽出し、通信処理部３２０へ出力する。
【００６３】
通信処理部３２０は、ＷＬＡＮ送受信部３１０から受け取ったサービス要求などをネットワーク送受信部３３０へ出力する。また、通信処理部３２０は、ネットワーク送受信部３３０から受け取ったコンテンツデータなどをＷＬＡＮ送受信部３１０へ出力する。
【００６４】
ネットワーク送受信部３３０は、例えば、制御装置４００との間でパケットを交換する。すなわち、ネットワーク送受信部３３０は、例えば、通信処理部３２０から受け取ったサービス要求などに対して、サービス要求などを含むパケットを生成し、生成したパケットを制御装置４００へ送信する。また、ネットワーク送受信部３３０は、例えば、制御装置４００から送信されたパケットを受信し、受信したパケットからコンテンツデータなどを抽出し、抽出したコンテンツデータなどを通信処理部３２０へ出力する。
【００６５】
図４は、アクセスポイント３００のハードウェア構成例を表す図である。アクセスポイント３００は、ＣＰＵ３５０、ＲＯＭ３５１、ＲＡＭ３５２、メモリ３５３、ＷＬＡＮＲＦ回路３６０、及びアンテナ３０１を備える。
【００６６】
ＣＰＵ３５０は、ＲＯＭ３５１に記憶されたプログラムを読み出し、ＲＡＭ３５２にロードし、ロードしたプログラムを実行することで、通信処理部３２０の機能を実行する。ＣＰＵ３５０は、例えば、通信処理部３２０に対応する。
【００６７】
また、ＷＬＡＮＲＦ回路３６０は、例えば、ＷＬＡＮ送受信部３１０に対応する。さらに、ネットワークインターフェース３７０は、例えば、ネットワーク送受信部２３０に対応する。
【００６８】
＜制御装置の構成例＞
図５（Ａ）は制御装置４００の構成例を表す図である。制御装置４００は、情報処理部４１０、無線方式選択部４２０、及び経路変更処理部４３０を備える。
【００６９】
情報処理部４１０は、移動局１００から送信された移動局情報を受信し、受信した移動局情報を無線方式選択部４２０へ出力する。例えば、情報処理部４１０は以下の処理を行う。すなわち、情報処理部４１０は、ＬＴＥ基地局２００やアクセスポイント３００から送信されたパケットを受信し、受信したパケットから、移動局１００から送信されたＨＴＴＰデータを抽出する。そして、情報処理部４１０は、ＨＴＴＰデータから、移動局情報を抽出し、抽出した移動局情報を無線方式選択部４２０へ出力する。また、情報処理部４１０は、例えば、移動局情報を削除したＨＴＴＰデータを、経路変更処理部４３０へ出力する。
【００７０】
また、情報処理部４１０は、通信セッションに関する処理を行う。例えば、ＭＰＴＣＰの場合、情報処理部４１０は、ＬＴＥ基地局２００を介した移動局１００までの経路と、アクセスポイント３００を介した移動局１００までの経路において、ＭＰＴＣＰによる通信セッションを確立（又は設定）する。また、ＴＣＰの場合、情報処理部４１０は、いずれかの経路において、ＴＣＰによる通信セッションを確立する。制御装置４００は、例えば、確立した通信セッションを利用して、移動局１００との間でＨＴＴＰデータを送受信する。通信セッション確立の詳細については動作例で説明する。
【００７１】
無線方式選択部４２０は、例えば、移動局１００から送信された移動局情報に基づいて、ＷＬＡＮ又はＬＴＥのいずれかの無線通信方式を選択する。詳細については動作例で説明する。無線方式選択部４２０は、選択した無線通信方式の情報を経路変更処理部４３０へ出力する。
【００７２】
経路変更処理部４３０は、無線方式選択部４２０から受け取った無線通信方式の情報に従って、コンテンツサーバ５００から送信されたコンテンツデータを、ＬＴＥ基地局２００を介して移動局１００へ送信したり、アクセスポイント３００を介して移動局１００へ送信したりする。例えば、経路変更処理部４３０は、無線通信方式として「ＬＴＥ」が選択されたときは、コンテンツデータをＬＴＥ基地局２００へ、無線通信方式として「ＷＬＡＮ」が選択されたときは、コンテンツデータをアクセスポイント３００へ送信する。
【００７３】
図５（Ｂ）は、制御装置４００のハードウェア構成例を表す図である。制御装置４００は、ＣＰＵ４５０、ＲＯＭ４５１、ＲＡＭ４５２、メモリ４５３、ネットワークインターフェース４５４を備える。
【００７４】
ＣＰＵ４５０は、ＲＯＭ４５１に記憶されたプログラムを読み出し、ＲＡＭ４５２にロードし、ロードしたプログラムを実行することで、無線方式選択部４２０と経路変更処理部４３０の機能を実行する。ＣＰＵ４５０は、例えば、無線方式選択部４２０と経路変更処理部４３０に対応する。また、ネットワークインターフェース４５４は、例えば、情報処理部４１０に対応する。
【００７５】
＜動作例＞
本第１の実施の形態における動作例は、ＭＰＴＣＰの場合の動作例（動作例１）と、ＴＣＰの場合の動作例（動作例２）の２つの動作例がある。動作例１も動作例２も、例えば、図１に示すように、移動局１００は、アクセスポイント３００−１のサービス提供可能範囲からアクセスポイント３００−２のサービス提供可能範囲へ移動する場合の例で説明する。
【００７６】
＜動作例１＞
図６は、動作例１のシーケンス例を表す図である。
【００７７】
最初に、移動局１００は、ＬＴＥ基地局２００に対して無線確立処理を行う（Ｓ１０）。例えば、移動局１００のＬＴＥ送受信部１１０と、ＬＴＥ基地局２００のＬＴＥ送受信部２１０とは、プリアンブル信号の送受信やＲＲＣ  Ｃｏｎｎｅｃｔｉｏｎに関する信号の送受信などにより、移動局１００とＬＴＥ基地局２００との間で無線接続を確立する。
【００７８】
次に、移動局１００は、アクセスポイント３００−１に対して無線確立処理を行う（Ｓ１１）。例えば、移動局１００のＷＬＡＮ送受信部１２０と、アクセスポイント３００−１のＷＬＡＮ送受信部３１０とは、ビーコン信号の送受信やＳＳＩＤ（Service Set Identifier）の送受信などにより、移動局１００とアクセスポイント３００−２との間で無線接続を確立する。なお、Ｓ１０とＳ１１は逆順でもよい。
【００７９】
次に、移動局１００は、制御装置４００との間で、ＭＰＴＣＰによる通信セッション（以下、「ＭＰＴＣＰセッション」と称する場合がある。）の確立処理を行う（Ｓ１２）。
【００８０】
図７（Ａ）はＭＰＴＣＰの通信セッション確立処理のシーケンス例を表す図である。図７（Ａ）は、所謂３ウェイハンドシェイク方式によるセッション確立処理を表している。なお、図７（Ａ）では、移動局１００からアクセスポイント３００−１を経由して制御装置４００に至る経路を利用して、ＭＰＴＣＰによる通信セッション確立処理が行われる。
【００８１】
最初に、移動局１００は、ＭＰＴＣＰによる「ＳＹＮ」パケットを制御装置４００へ送信する（Ｓ１２１）。ＭＰＴＣＰによる「ＳＹＮ」パケットは、例えば、移動局１００が、制御装置４００に対して、ＭＰＴＣＰによる接続を要求するパケットを表している。
【００８２】
図８（Ａ）はパケットの例、図８（Ｂ）はＴＣＰヘッダの例をそれぞれ表す図である。ＭＰＴＣＰによる「ＳＹＮ」パケットは、ＴＣＰヘッダの制御領域のうち「ＳＹＮ」領域がセットされ（例えば「１」が挿入される）、それ以外の制御領域はセットされないよう（例えば「０」が挿入される）になっている。さらに、ＭＰＴＣＰによる「ＳＹＮ」パケットは、ＴＣＰヘッダのオプション領域に「ＭＰＴＣＰ」を表す情報と「ＭＰ＿ＣＡＰＡＢＬＥ」を表す情報とを含んでいる。例えば、移動局１００の情報処理部１６０は、このようなＭＰＴＣＰによる「ＳＹＮ」パケットを生成し、ＷＬＡＮ送受信部１２０などを介して、制御装置４００へ送信する。なお、ＴＣＰヘッダのオプション領域には、「ｔｏｋｅｎ」として「Ａ」が挿入される。「ｔｏｋｅｎ」は、例えば、移動局１００の識別に用いられる。
【００８３】
図７（Ａ）に戻り、制御装置４００は、ＭＰＴＣＰによる「ＳＹＮ」パケットを受信すると、ＭＰＴＣＰによる「ＳＹＮ＋ＡＣＫ」パケットを移動局１００へ送信する（Ｓ１２２）。ＭＰＴＣＰによる「ＳＹＮ＋ＡＣＫ」パケットは、例えば、接続要求に対する応答パケットとなっている。この応答パケットは、制御領域のうち、ＴＣＰヘッダの「ＳＹＮ」と「ＡＣＫ」領域がともにセットされ、それ以外の制御領域はセットされないパケットとなっている。また、この応答パケットは、ＴＣＰヘッダのオプション領域に「ＭＰＴＣＰ」を表す情報と「ＭＰ＿ＣＡＰＡＢＬＥ」を表す情報とを含んでいる。例えば、制御装置４００の情報処理部４１０が、ＭＰＴＣＰによる「ＳＹＮ」パケットを受信すると、ＭＰＴＣＰによる「ＳＹＮ＋ＡＣＫ」パケットを生成し、移動局１００へ送信する。
【００８４】
次に、移動局１００は、ＡＣＫパケットを制御装置４００へ送信する。ＡＣＫパケットは、例えば、ＴＣＰヘッダの制御領域のうち「ＡＣＫ」領域がセットされ、それ以外の制御領域はセットされていないパケットである。また、ＡＣＫパケットは、例えば、ＴＣＰヘッダのオプション領域に「ＭＰＴＣＰ」を表す情報を含んでいる。例えば、移動局１００の情報処理部１６０は、ＭＰＴＣＰによる「ＳＹＮ＋ＡＣＫ」パケットを受信すると、ＡＣＫパケットを生成し、制御装置４００へ送信する。
【００８５】
図６に戻り、移動局１００と制御装置４００は、ＭＰＴＣＰセッションを確立すると、経路追加処理を行う（Ｓ１３）。アクセスポイント３００−１経由で移動局１００と制御装置４００との間のＭＰＴＣＰセッションによるフローが確立したため、本処理において、ＬＴＥ基地局２００経由で移動局１００と制御装置４００間のＭＰＴＣＰによる追加フローが確立されるようにしている。
【００８６】
図７（Ｂ）は、経路追加処理のシーケンス例を表す図である。移動局１００は、「ＡＤＤ＿ＡＤＤＲ」パケットを制御装置４００へ送信する（Ｓ１３１）。「ＡＤＤ＿ＡＤＤＲ」パケットは、例えば、ＭＰＴＣＰによるフローの追加要求を表すパケットである。例えば、移動局１００の情報処理部１６０は、ＴＣＰヘッダのオプション領域に「ＭＰＴＣＰ」を表す情報と「ＡＤＤ＿ＡＤＤＲ」を表す情報とを挿入したパケットを生成し、ＷＬＡＮ送受信部１２０などを介して、制御装置４００へ送信する。「ＡＤＤ＿ＡＤＤＲ」パケットは、Ｓ１２により確立された通信セッション（ＷＬＡＮ側）を利用して、アクセスポイント３００−１経由で制御装置４００へ送信される。
【００８７】
次に、移動局１００は、ＬＴＥ基地局２００を介して、Ｓ１３２からＳ１３４までの処理を行う。Ｓ１３２からＳ１３４において交換されるパケットは、ＭＰＴＣＰセッションを確立する処理で交換されるパケット（Ｓ１２１からＳ１２２）とそれぞれ同一である。
【００８８】
この経路追加処理により、ＬＴＥ基地局２００経由の（又はＬＴＥ方式による）通信セッションと、アクセスポイント３００−１経由の（又はＷＬＡＮ方式による）通信セッションの２つの通信セッションが確立される。
【００８９】
図６に戻り、次に、移動局１００は、確立した通信セッションのうち、いずれかの通信セッションを利用して、コンテンツサーバ５００との間でＨＴＴＰによる通信を行う（Ｓ１４〜Ｓ１７）。
【００９０】
すなわち、移動局１００は、サービス要求をコンテンツサーバ５００へ送信する（Ｓ１４）。例えば、移動局１００は以下の処理を行う。すなわち、サービス処理部１５０は、サービス要求を含むＨＴＴＰデータを生成し、生成したＨＴＴＰデータを情報処理部１６０へ出力する。情報処理部１６０は、サービス処理部１５０から受け取ったＨＴＴＰデータをＷＬＡＮ送受信部１２０へ出力する。ＨＴＴＰデータは、アクセスポイント３００−１経由で、制御装置４００へ送信される。
【００９１】
次に、制御装置４００は、サービス要求をコンテンツサーバ５００へ送信し（Ｓ１５）、コンテンツサーバ５００からサービス応答として、コンテンツデータを受信する（Ｓ１６）。例えば、制御装置４００の情報処理部４１０は以下の処理を行う。すなわち、情報処理部４１０は、サービス要求を含むＨＴＴＰデータを受信すると、受信したＨＴＴＰデータを、経路変更処理部４３０を介してコンテンツサーバ５００へ送信する。そして、情報処理部４１０は、経路変更処理部４３０を介してコンテンツサーバ５００からコンテンツデータを含むＨＴＴＰデータを受信する。
【００９２】
次に、制御装置４００は、コンテンツデータを移動局１００へ送信する（Ｓ１７）。例えば、情報処理部４１０は、経路変更処理部４３０を介して、コンテンツサーバ５００から受信したコンテンツデータを含むＨＴＴＰデータを、アクセスポイント３００−１経由で、移動局１００へ送信する。例えば、移動局１００のサービス処理部１５０がコンテンツデータを含むＨＴＴＰデータを受信する。
【００９３】
その後、移動局１００は、アクセスポイント３００−１のサービス提供可能範囲からアクセスポイント３００−２のサービス提供可能範囲へ移動する。
【００９４】
次に、移動局１００は、アクセスポイント３００−２に対して無線確立処理を行う（Ｓ１８）。この場合、移動局１００は、アクセスポイント３００−１に対して行った無線確立処理と同様の処理を、アクセスポイント３００−２に対して行う。
【００９５】
次に、移動局１００は、アクセスポイント３００−２を介して、ＭＰＴＣＰセッションの確立処理を行う（Ｓ１９）。図６に示す例では、Ｓ１２とＳ１３により確立したＭＰＴＣＰセッションがリセットされ、再度、ＭＰＴＣＰセッションが確立される例を表している。ＭＰＴＣＰセッションの確立処理自体は、例えば、Ｓ１２と同様に、図７（Ａ）に示すシーケンスにより確立されてもよい。ただし、アクセスポイント３００−１に代えて、アクセスポイント３００−２を介して処理が行われる。
【００９６】
図６に戻り、次に、移動局１００は、経路追加処理を行う（Ｓ２０）。これにより、２つの経路に対して各々通信セッションが確立される。本処理は、例えば、Ｓ１３と同様に、図７（Ｂ）に示すシーケンスにより確立されてもよい。ただし、アクセスポイント３００−１に代えて、アクセスポイント３００−２を介した処理が行われる。
【００９７】
そして、移動局１００は、確立した２つの通信セッションのうち、いずれかを利用して、サービス要求をコンテンツサーバ５００へ送信し、コンテンツサーバ５００からコンテンツデータを取得する（Ｓ２１〜Ｓ２４）。サービス要求からサービス応答（Ｓ２１〜Ｓ２４）までの処理は、Ｓ１４からＳ１７までの処理と同様である。この場合、アクセスポイント３００−１ではなくアクセスポイント３００−２を経由してＨＴＴＰデータが送受信される。
【００９８】
動作例１では、移動局１００の接続先が変更されて、移動先においてＬＴＥとＷＬＡＮの双方が使用可能な場合、移動局１００と制御装置４００により２つの通信セッションが確立されている。この場合、サービスの要求とサービスの応答はアクセスポイント３００経由の通信セッションが使用され、ＬＴＥ基地局２００経由の通信セッションが使用されない。
【００９９】
この場合、例えば、移動局１００では、ＬＴＥ経由の通信セッションを利用しないにも拘わらず、ＬＴＥ経由の通信セッションの確立処理を行っており、これにより、ＬＴＥ送受信部１１０の消費電力などが消費される。そのため、移動局１００の消費電力が無駄になる。
【０１００】
また、移動局１００は、Ｓ１９とＳ２０の処理により、いずれか一方の処理が行われる場合と比較して、サービスの提供を受けるまでの遅延が大きくなり、シグナリング（例えば図７（Ａ）又は図７（Ｂ））も増加する。
【０１０１】
なお、ＭＰＴＣＰセッションについては、移動局１００の移動に対して、一方（アクセスポイント３００−１側）の通信セッションを削除し、他方（アクセスポイント３００−２側）の通信セッションを追加することで、通信セッションを確立する場合がある。しかし、この場合でも、移動局１００では、利用されないＬＴＥ送受信部１１０を稼働しており、消費電力が無駄になる場合がある。
【０１０２】
そこで、本第１の実施の形態では、移動局１００と制御装置４００は、動作例２を実行することで、消費電力の削減などを図るようにしている。
【０１０３】
＜動作例２＞
図９は動作例２のシーケンス例を表す図である。
【０１０４】
移動局１００は、移動局情報を収集する（Ｓ３０）。例えば、移動局１００の情報処理部１６０は、以下の処理を行う。すなわち、情報処理部１６０は、無線情報管理部１３０から無線情報、ユーザ情報管理部１４０からユーザ情報、内部メモリから経路情報を収集する。そして、情報処理部１６０は、サービス処理部１５０から受け取ったサービス要求を含むＨＴＴＰデータに、これらの情報を含ませることで、移動局情報を収集する。
【０１０５】
図１１（Ａ）は、サービス要求と移動局情報とを含むＨＴＴＰデータの例を表す図である。ＴＣＰペイロード領域に、サービス要求と移動局情報がＨＴＴＰデータとして含まれるパケットとなっている。ＩＰヘッダを含む全体のパケットを、例えば、ＨＴＴＰデータと称する場合がある。
【０１０６】
図９に戻り、次に、移動局１００は、サービス要求と移動局情報とを制御装置４００へ送信（又は通知）する（Ｓ３１）。例えば、情報処理部１６０は、ＭＰＴＣＰではなく、通常のＴＣＰセッションにより確立した１つの通信セッション（ＬＴＥ基地局２００経由又はアクセスポイント３００−１経由）を利用して、サービス要求と移動局情報とを含むＨＴＴＰデータを送信する。
【０１０７】
制御装置４００は、サービス要求と移動局情報とを受信すると、サービス要求をコンテンツサーバ５００へ送信する（Ｓ３２）。例えば、制御装置４００の情報処理部４１０は、移動局１００から送信されたＨＴＴＰデータを受信し、受信したＨＴＴＰデータから移動局情報を抽出して削除し、サービス要求を含むＨＴＴＰデータをコンテンツサーバ５００へ送信する。
【０１０８】
次に、制御装置４００は、移動局情報に基づいてＲＡＴを選択する（Ｓ３３）。例えば、無線方式選択部４２０は、ＷＬＡＮ優先やＬＴＥ優先によりＲＡＴを選択してもよい。或いは、無線方式選択部４２０は、例えば、移動局１００とＬＴＥ基地局２００との間の通信品質に関する通信品質情報と、移動局１００とアクセスポイント３００との間の通信品質に関する通信品質情報とに基づいて、ＲＡＴを選択してもよい。或いは、無線方式選択部４２０は、例えば、移動局情報に含まれる通信品質情報に基づいて、移動局１００のＬＴＥ基地局２００に対するスループットと移動局１００のアクセスポイント３００に対するスループットとを推定し、推定したスループットに基づきＲＡＴを選択してもよい。或いは、無線方式選択部４２０は、例えば、各移動局１００の要求スループットの合計と各移動局１００の推定スループットの合計とを比較して、ＲＡＴを選択してもよい。このような選択により、例えば、移動局１００では、スループットや通信品質の面で、最適な無線通信方式を利用して、ＬＴＥ基地局２００又はアクセスポイント３００からサービスの提供を受けることが可能となる。
【０１０９】
この場合、無線方式選択部４２０は、例えば、移動局情報のうち、移動局１００におけるＬＴＥ用のＩＰアドレスとＷＬＡＮ用のＩＰアドレス（例えば経路情報）とを抽出し、いずれか一方のＩＰアドレスを選択することで、ＲＡＴを選択してもよい。これは、例えば、ＩＰアドレスがＲＡＴに対応しており、ＩＰアドレスの選択とＲＡＴの選択とが同視できるからである。ＬＴＥとＷＬＡＮは、例えば、システム構成が異なり、ＬＴＥ方式のシステムでＩＰアドレスの払い出しを行う装置と、ＷＬＡＮ方式のシステムでＩＰアドレスを払い出す装置は異なる場合がある。この場合、例えば、ＬＴＥ用のＩＰアドレスとＷＬＡＮ用のＩＰアドレスが異なっている。また、例えば、ＬＴＥ用のＩＰアドレスは、ＬＴＥ基地局２００経由の通信セッションで用いられることから、かかる通信セッションの経路を表す経路情報であると考えることも可能である。同様に、例えば、ＷＬＡＮ用のＩＰアドレスは、アクセスポイント３００経由の通信セッションで用いられることから、かかる通信セッションの経路を表す経路情報である、と考えることも可能である。
【０１１０】
そして、制御装置４００は、選択したＲＡＴを用いて移動局１００と通信を行うＬＴＥ基地局２００（ＬＴＥが選択された場合）、又はアクセスポイント３００−１（ＷＬＡＮが選択された場合）を介して移動局１００へ、コンテンツデータを送信する（Ｓ３３，Ｓ３５〜Ｓ３６）。例えば、制御装置４００の経路変更処理部４３０は、無線方式選択部４２０から受け取ったＬＴＥ用のＩＰアドレス又はＷＬＡＮ用のＩＰアドレスを利用して、コンテンツデータを移動局１００へ送信してもよい。
【０１１１】
制御装置４００は、コンテンツデータを移動局１００へ送信する前に、選択したＲＡＴを移動局１００へ送信してもよい（Ｓ３４）。例えば、制御装置４００の情報処理部４１０は、ＲＡＴ情報を含むＨＴＴＰデータを、選択したＲＡＴを用いて通信を行うＬＴＥ基地局２００又はアクセスポイント３００−１経由で移動局１００へ送信する。この場合、移動局１００の情報処理部１６０は、ＨＴＴＰデータからＲＡＴ情報を抽出し、経路変更処理部１７０へ出力し、経路変更処理部１７０ではＲＡＴ情報に従って経路を変更する。
【０１１２】
図１０は動作例２の移動通信システム１０全体のシーケンス例を表す図である。
【０１１３】
移動局１００は、アクセスポイント３００−１に対して無線接続の確立処理（以下、「無線確立処理」と称する場合がある。）を行う（Ｓ５１）。処理自体は、例えば、動作例１のＳ１０及びＳ１１と同一である。移動局１００は、ＬＴＥ基地局２００に対して無線確立処理を行ってもよいが、動作例２では、ＬＴＥ基地局２００に対してアイドル状態となっているため、アクセスポイント３００−１に対して無線確立を行う。
【０１１４】
次に、移動局１００は、アクセスポイント３００−２と無線接続確立後、アクセスポイント３００−１経由で制御装置４００との間でＴＣＰセッションの確立処理を行う（Ｓ５２）。動作例２では、移動局１００は、ＭＰＴＣＰではなく、通常のＴＣＰセッションの確立処理を行う。
【０１１５】
図１１（Ｂ）はＴＣＰセッション確立処理のシーケンス例を表している。ＴＣＰセッション確立処理において、移動局１００は、最初に、「ＳＹＮ」パケットを生成して、制御装置４００へ送信する（Ｓ５２１）。本処理における「ＳＹＮ」パケットは、例えば、ＴＣＰヘッダの制御領域のうち「ＳＹＮ」領域がセットされ、それ以外の制御領域がセットされていないパケット（例えば図８（Ｂ））である。また、「ＳＹＮ」パケットは、ＴＣＰヘッダのオプション領域には「ＭＰＴＣＰ」などの情報が挿入されていないパケットである。例えば、移動局１００の情報処理部１６０は、このような「ＳＹＮ」パケットを生成し、ＷＬＡＮ送受信部１２０へ出力する。
【０１１６】
制御装置４００は、「ＳＹＮ」パケットを受信すると、「ＳＹＮ＋ＡＣＫ」パケットを生成し、生成した「ＳＹＮ＋ＡＣＫ」パケットを、移動局１００へ送信する（Ｓ５２２）。本処理における「ＳＹＮ＋ＡＣＫ」パケットは、ＴＣＰヘッダの制御領域のうち「ＳＹＮ」と「ＡＣＫ」とがセットされ、それ以外の制御領域はセットされていないパケットである。また、このパケットは、ＴＣＰヘッダのオプション領域には、「ＭＰＴＣＰ」などの情報が挿入されないパケットとなっている。例えば、制御装置４００の情報処理部４１０は、このような「ＳＹＮ＋ＡＣＫ」パケットを生成し、アクセスポイント３００−１へ送信する。
【０１１７】
そして、移動局１００は、「ＳＹＮ」パケットを受信すると、「ＡＣＫ」パケットを生成し、制御装置４００へ送信する（Ｓ５２３）。「ＡＣＫ」パケットは、ＴＣＰヘッダの制御領域のうち「ＡＣＫ」がセットされそれ以外の制御領域はセットされないパケットであって、ＴＣＰヘッダのオプション領域に「ＭＰＴＣＰ」などの情報が含まれないパケットである。例えば、移動局１００の情報処理部１６０は、このような「ＡＣＫ」パケットを生成し、ＷＬＡＮ送受信部１２０へ出力する。
【０１１８】
図１０に戻り、移動局１００は、アクセスポイント３００−１を介して制御装置４００との間でＴＣＰセッションを確立すると（Ｓ５２）、移動局情報を収集し（Ｓ５３）、確立した通信セッションを利用して、サービス要求と移動局情報とを送信する（Ｓ５４）。
【０１１９】
このように、動作例２では、移動局１００は、ＭＰＴＣＰ（又は動作例１）のように２つの通信セッションを確立するのではなく、１つのＴＣＰセッションを確立し、その確立した通信セッションを利用して、移動局情報を送信するようにしている。
【０１２０】
制御装置４００は、サービス要求と移動局情報を受信すると、サービス要求をコンテンツサーバ５００へ送信し（Ｓ５５）、移動局情報に基づいてＲＡＴを選択する（Ｓ５６）。例えば、情報処理部４１０は、ＲＡＴとしてＷＬＡＮを選択する。
【０１２１】
制御装置４００は、コンテンツサーバ５００からコンテンツデータを受信し（Ｓ５７）、受信したコンテンツデータを、選択したＷＬＡＮを利用するアクセスポイント３００−１経由で、移動局１００へ送信する（Ｓ５８）。
【０１２２】
次に、移動局１００は、アクセスポイント３００−１のサービス提供可能範囲からアクセスポイント３００−２のサービス提供可能範囲へ移動する。
【０１２３】
移動局１００は、アクセスポイント３００−２に対して無線確立処理を行う（Ｓ５９）。次に、移動局１００は、アクセスポイント３００−２を介して、制御装置４００との間で、ＴＣＰセッションの確立処理を行う（Ｓ６０）。ＴＣＰセッションの確立処理は、経由するのがアクセスポイント３００−２であること以外は、Ｓ５２（又は図１１（Ｂ））と同様である。
【０１２４】
そして、移動局１００は、移動局情報を収集し（Ｓ６１）、サービス要求と収集した移動局情報とを、確立したＴＣＰセッションを利用して、制御装置４００へ送信する（Ｓ６２）。
【０１２５】
制御装置４００では、サービス要求をコンテンツサーバ５００へ送信し（Ｓ６３）、移動局情報に基づいてＲＡＴを選択する（Ｓ６４）。ここでは、例えば、Ｓ６４と同様に、制御装置４００はＷＬＡＮを選択する。
【０１２６】
制御装置４００は、コンテンツサーバ５００から受信したコンテンツデータ（Ｓ６５）を、選択に従って、ＷＬＡＮを用いるアクセスポイント３００−２経由で、移動局１００へ送信する（Ｓ６６）。
【０１２７】
以上は、動作例２において、ＲＡＴ選択についてＷＬＡＮが選択された場合の動作例である。
【０１２８】
図１２は、ＲＡＴ選択について、ＷＬＡＮではなくＬＴＥが選択された場合のシーケンス例である。Ｓ５０からＳ５５までの処理は、図１０と同一である。
【０１２９】
制御装置４００は、移動局情報に基づいて、ＲＡＴとして、ＬＴＥを選択する（Ｓ５６）。この場合、制御装置４００は、コンテンツサーバ５００からコンテンツデータを受信しても、ＬＴＥを用いるＬＴＥ基地局２００を介した移動局１００とのＴＣＰセッションが確立されていない。そのため、受信したコンテンツデータを移動局１００へ送信することはできない。この場合、制御装置４００は、コンテンツサーバ５００から取得したコンテンツデータメモリなどに記憶する。例えば、情報処理部４１０は、移動局情報に基づいてＬＴＥを選択し、ＬＴＥ基地局２００経由で移動局１００との間でＴＣＰセッションを確立していないため、コンテンツサーバ５００から受信したコンテンツデータをメモリに記憶する。
【０１３０】
次に、移動局１００は、サービス要求を送信後（Ｓ５４）、所定時間経過してもサービス応答がないため、ＬＴＥ基地局２００に対して無線確立処理を行う（Ｓ７０）。例えば、情報処理部１６０は、所定時間経過してもサービス応答をコンテンツサーバ５００から受信しないため、ＬＴＥ送受信部１１０に対して無線確立処理を指示する。ＬＴＥ送受信部１１０は、その指示に従って、ＬＴＥ基地局２００との間で無線確立処理を行う。処理自体は、例えば、Ｓ１０と同様である。
【０１３１】
次に、移動局１００は、ＬＴＥ基地局２００を介してＴＣＰセッションの確立処理を行う（Ｓ７１）。例えば、情報処理部１６０は、ＬＴＥ送受信部１１０へ無線確立処理を指示した後、ＬＴＥ基地経由のＴＣＰセッションの確立処理を行う。ＴＣＰセッションの確立処理自体は、ＬＴＥ基地局２００であること以外は、Ｓ５２（又は図１１（Ｂ））と同様である。
【０１３２】
次に、制御装置４００は、確立したＴＣＰセッションを利用して、ＬＴＥ基地局２００経由でコンテンツデータを移動局１００へ送信する（Ｓ７２）。例えば、情報処理部４１０は、「ＡＣＫ」パケットなど（例えば図１１（Ｂ））の受信により、移動局１００との間で、ＬＴＥ基地局２００を経由したＴＣＰセッションを確立すると、メモリに記憶したコンテンツデータを読み出して、移動局１００へ送信する。
【０１３３】
次に、移動局１００は、アクセスポイント３００−１のサービス提供可能範囲からアクセスポイント３００−２のサービス提供可能範囲へ移動する。移動局１００と制御装置４００は、図１０の場合と同様に、Ｓ５８からＳ６２までの処理を行う。
【０１３４】
次に、制御装置４００は、移動局情報に基づいてＬＴＥを選択する（Ｓ６３）。この場合、Ｓ７１により、ＬＴＥ基地局２００を介したＴＣＰセッションは確立しているため、制御装置４００はそのＴＣＰセッションを利用して、コンテンツデータをＬＴＥ基地局２００経由で移動局１００へ送信する（Ｓ６４，Ｓ６５）。
【０１３５】
図１３は、動作例２における制御装置４００の動作例を表すフローチャートである。例えば、制御装置４００の情報処理部４１０で行われる動作例である。繰り返しになるため簡単に説明する。
【０１３６】
制御装置４００は、処理を開始すると（Ｓ８０）、移動局１００から送信された移動局情報を受信する（Ｓ６１）。
【０１３７】
次に、制御装置４００は、移動局情報に基づいてＲＡＴを選択する（Ｓ８２）。制御装置４００は選択したＲＡＴに関するＲＡＴ情報を移動局１００へ送信してもよい（Ｓ８３）。
【０１３８】
次に、制御装置４００は、選択したＲＡＴを利用して無線通信を行うＬＴＥ基地局２００又はアクセスポイント３００経由で、コンテンツデータを移動局１００へ送信する（Ｓ８４）。
【０１３９】
そして、制御装置４００は、一連の処理を終了する（Ｓ８５）。
【０１４０】
このように、本第１の実施の形態においては、移動局１００は、接続先を切り替えて、切り替えた先で２つの無線通信方式が利用可能な場合でも、２つの通信セッションを確立することなく、１つの通信セッションを確立している。移動局１００は、その確立した通信セッションを利用して移動局情報を送信している（例えば、図１０のＳ５２，Ｓ５４）。そして、制御装置４００では、移動局情報に基づいて、ＲＡＴを選択し、選択したＲＡＴを利用する基地局装置（動作例２ではアクセスポイント３００−１）経由で、コンテンツデータを送信している（例えば、Ｓ５６，Ｓ５８）。例えば、図１０に示すように、選択したＲＡＴ（例えばＷＬＡＮ）と、確立した通信セッションに含まれる基地局装置（例えばアクセスポイント３００）で利用するＲＡＴ（例えばＷＬＡＮ）が同一の場合、制御装置４００は、確立した通信セッションを利用して、コンテンツデータを送信することができる。
【０１４１】
従って、移動局１００は、２つの通信セッションを確立させることがなく、１つの通信セッションを確立すればよい。よって、動作例１の場合と比較して、移動局１００では、１つの通信セッションを確立すればよいため、消費電力の削減を図ることができ、また、シグナリングの数の削減を図ることもできる。
【０１４２】
また、移動局１００では、１つのＴＣＰセッションの確立でサービスを受けることができるため、ＭＰＴＣＰの場合（例えば図６）と比較して、無線確立からサービスの提供を受けるまでの遅延を小さくすることができる。
【０１４３】
なお、複数の通信経路を切り替えても１つのＩＰを継続して使用する方法として、例えば、Ｍｏｂｉｌｅ  ＩＰがある。Ｍｏｂｉｌｅ  ＩＰは、例えば、通信装置が接続しているネットワークに関わらず、一意のＩＰアドレス（ホームアドレス）で接続可能なプロトコルである。しかし、Ｍｏｂｉｌｅ  ＩＰでは、ホームエージェント（Home Agent）やフォーレインエージェント（Foreign Agent）を別途設置させたり、気付きアドレス（Care of Address）を設定させたりするなど、コスト増加につながる。これに対して、本移動通信システム１０では、ＴＣＰプロキシとして動作する制御装置４００が設置されるだけでよいため、複数の装置が設置されるＭｏｂｉｌｅ  ＩＰと比較して、コスト増加を低減させることも可能となる。
【０１４４】
［第２の実施の形態］
図１４は、第２の実施の形態における移動通信システム１０の構成例を表している。移動通信システム１０は、移動局装置１００と、移動局装置１００と無線通信を行う第１の基地局装置３００と、制御装置４００とを備える。例えば、第１の基地局装置３００は、アクセスポイント３００に対応する。
【０１４５】
制御装置４００は、情報処理部４１０と無線方式選択部４２０、及び経路変更処理部４３０を備える。
【０１４６】
情報処理部４１０は、移動局装置１００との間で第２の通信セッションを確立することなく第１の通信セッションを確立する。また、情報処理部４１０は、確立した第１の通信セッションを利用して移動局装置１００から送信された移動局装置１００に関する移動局情報を受信する。
【０１４７】
無線方式選択部４２０は、情報処理部４１０から移動局情報を受け取り、受け取った移動局情報に基づいて、第１及び第２の無線通信方式のうち、第１の無線通信方式を選択する。
【０１４８】
経路変更処理部４３０は、無線方式選択部４２０から受け取った第１の無線通信方式に関する情報に従って、第１の通信セッションを利用して、移動局装置１００へコンテンツデータを送信する。第１の通信セッションは、第１の無線通信方式を用いて移動局装置１００と無線通信を行う第１の基地局装置３００を経由して制御装置４００と移動局装置１００との間で確立された通信セッションである。
【０１４９】
このように第２の実施の形態では、２つの通信セッションのうち第１の通信セッションを利用して、移動局１００は移動局情報を送信し、制御装置４００はコンテンツデータを送信している。従って、移動局１００では、例えば、接続先を切り替えて、切り替えた先で第１及び第２の無線通信方式を利用して第１及び第２の無線通信装置とそれぞれ無線通信が可能な場合であっても、第２の通信セッションを確立するための処理を行うことがなくなる。よって、移動局１００では、第２の通信セッションを確立するための処理を行う場合に消費される消費電力の削減を図ることができる。
【０１５０】
また、移動局１００では、確立された第１の通信セッションをそのまま利用してコンテンツデータを取得している。そのため、第２の通信セッションを確立するための処理がなくなり、移動局１００が移動局情報を送信後に第２の通信セッションを確立するための処理がある場合と比較して、移動通信システム１０ではコンテンツデータの取得までにかかる遅延を少なくさせることができる。
【０１５１】
さらに、移動局１００と制御装置４００では、第２の通信セッションの確立を行うことがなくなるため、第２の通信セッションの確立処理を行う場合と比較して、確立処理を行う場合に送受信するシグナリングの数の増大を低減させることができる。この場合、移動局１００と制御装置４００は、第１の通信セッションを継続して使用しているため、通信セッション又は接続の遮断も防止できる。
【０１５２】
［その他の実施の形態］
上述した実施の形態においては、ＲＡＴの選択として、ＷＬＡＮとＬＴＥを例にして説明した。例えば、ＲＡＴの選択としては、ＬＴＥとＬＴＥ−Ａｄｖａｎｃｅｄのうちいずれか一つ、３Ｇと４Ｇのうちいずれか一つ、又は、４Ｇと５Ｇのうちいずれか一つ、などであってもよい。或いは、ＲＡＴの選択としては、スケジューリングにより無線通信を行う無線通信方式と、キャリアセンスを用いて無線通信を行う無線通信方式のいずれか一つであってもよい。また、選択の対象として２つの例を説明したが、３つ以上の場合でもよい。例えば、制御装置４００は、ＷＬＡＮ、４Ｇ、５Ｇの中から、１つを選択してもよい。
【０１５３】
また、上述した実施の形態において、制御装置４００は、ＬＴＥ基地局２００とアクセスポイント３００の双方に接続され、さらに、コンテンツサーバ５００とも接続される別個の装置として説明した。例えば、制御装置４００は、ＬＴＥ基地局２００やアクセスポイント３００内に含まれても良い。この場合、ＬＴＥ基地局２００内（例えば図３（Ａ））に制御装置４００の各ブロック（例えば図５（Ａ））が含まれ、アクセスポイント３００内（例えば図３（Ｂ））に制御装置４００の各ブロックが含まれる。
【０１５４】
さらに、上述した実施の形態では、サービス提供のプロトコルとしてＨＴＴＰを例にして説明した。例えば、移動通信システム１０においては、ＴｅｌｎｅｔやＦＴＰ（File Transfer Protocol）など、ＨＴＴＰ以外のプロトコルを利用してサービスの提供が行われても良い。
【０１５５】
コンテンツサーバ５００は、ＨＴＴＰ以外のプロトコルを用いてサービスを提供する場合においても、移動局１００は、ＨＴＴＰを用いて最初のサービス要求を伝送する。図１５はかかる場合の制御装置４００の構成例を表す図である。制御装置４００は、さらに、プロトコル変換部４６０を備える。
【０１５６】
情報処理部４１０は、ＨＴＴＰを用いて、移動局１００から送信されたＨＴＴＰデータを受信すると、ＨＴＴＰデータに含まれるプロコトル情報を抽出する。プロトコル情報は、例えば、移動局１００がＨＴＴＰ以外のプロトコルを用いてサービスの提供を受ける場合にどのプロトコルを利用するかを示す情報である。プロコトル情報としては、例えば、ＴｅｌｎｅｔやＦＴＰなどがある。情報処理部４１０は、抽出したプロトコル情報をプロコトル変換部４６０へ出力する。
【０１５７】
プロコトル変換部４６０は、プロコトル情報を受け取ると、経路変更処理部４３０から受け取ったサービス要求を、プロコトル情報に示されたプロトコルに変換する。例えば、プロトコル変換部４６０は、ＨＴＴＰのサービス要求を、ＦＴＰのサービス要求に変換する。プロトコル変換部４６０は、変換後のサービス要求をコンテンツサーバ５００へ送信する。プロコトル変換部４６０は、サービス要求送信後、プロコトル情報で指示されたプロトコルで、コンテンツサーバ５００から受け取ったコンテンツデータを経路変換処理部４３０へ出力する。
【０１５８】
図１６と図１７は、ＨＴＴＰ以外のプロコトルを利用してサービスの提供が行われる場合の動作例を表すシーケンス図である。図１６や図１７に示すように、制御装置４００は、サービス要求（Ｓ３１，Ｓ５４，Ｓ６２）に対して、プロコトル変換を行い（Ｓ９０〜Ｓ９２）、変換後のプロコトルを利用して、サービス要求をコンテンツサーバ５００へ送信する（Ｓ３２，Ｓ５５，Ｓ６３）。
【０１５９】
以上まとめると付記のようになる。
【０１６０】
（付記１）
複数の通信経路のうち少なくとも１つの通信経路を経由して移動局装置との間に通信セッションを設定する制御装置において、
第１及び第２の無線通信方式に対応した前記移動局装置との間で第１の通信セッションを確立し、確立した前記第１の通信セッションを利用して前記移動局装置から送信された前記移動局装置に関する移動局情報を受信する情報処理部と、
前記移動局情報に基づいて、前記第１及び第２の無線通信方式のうち前記第１の無線通信方式を選択する無線方式選択部と、
選択された前記第１の無線通信方式に関する情報に従って、前記第１の無線通信方式を用いて前記移動局装置と無線通信を行う第１の基地局装置を経由して前記制御装置と前記移動局装置との間で確立された前記第１の通信セッションを利用して、前記移動局装置へコンテンツデータを送信する経路変更処理部と
を備えることを特徴とする制御装置。
【０１６１】
（付記２）
前記移動局情報は、前記第１の基地局装置と前記移動局装置との間の通信品質に関する第１の通信品質情報と、前記第２の無線通信方式を用いて前記移動局装置と無線通信を行う第２の基地局装置と前記移動局装置との間の通信品質に関する第２の通信品質情報とを含み、
前記無線方式選択部は、前記第１及び第２の通信品質情報に基づいて、前記第１の無線通信方式を選択することを特徴とする付記１記載の制御装置。
【０１６２】
（付記３）
前記無線方式選択部は、前記移動局情報に基づいて、前記第２の無線通信方式を選択し、
前記経路変更処理部は、前記情報処理部が前記第２の無線通信方式を用いて前記移動局装置と無線通信を行う第２の基地局装置を経由して前記制御装置と前記移動局装置との間の前記第２の通信セッションを確立したとき、選択された前記第２の無線通信方式に関する情報に従って、前記第２の通信セッションを利用して前記移動局装置へコンテンツデータを送信する、
ことを特徴とする付記１記載の制御装置。
【０１６３】
（付記４）
前記移動局情報は、前記移動局装置の識別情報又は前記移動局装置を利用するユーザの識別情報、前記第１の基地局装置と前記移動局装置との間の通信品質に関する第１の通信品質情報、前記第２の無線通信方式を用いて前記移動局装置と無線通信を行う第２の基地局装置と前記移動局装置との間の通信品質に関する第２の通信品質情報、前記第１の基地局装置を介した前記移動局装置と前記制御装置との間の通信経路に関する第１の経路情報、前記第２の基地局装置を介した前記移動局装置と前記制御装置との間の通信経路に関する第２の路情報を含むことを特徴とする付記１記載の制御装置。
【０１６４】
（付記５）
前記無線通信方式選択部は、前記第１の経路情報を選択することで前記第１の無線通信方式を選択し、
前記経路変更処理部は、選択された前記第１の経路情報に従って、前記第１の通信セッションを利用して前記移動局装置へコンテンツデータを送信することを特徴とする付記４記載の制御装置。
【０１６５】
（付記６）
前記第１及び第２の経路情報は、前記移動局装置が前記第１又は第２の無線通信方式で前記第１又は第２の基地局装置と無線通信を行う際にそれぞれ利用するＩＰ（Internet Protocol）アドレスであることを特徴とする付記４記載の制御装置。
【０１６６】
（付記７）
前記情報処理部は、前記移動局情報とともに前記移動局装置から送信されたコンテンツデータの取得を要求するサービス要求を受信し、受信したサービス要求をコンテンツサーバへ送信することを特徴とする付記１記載の制御装置。
【０１６７】
（付記８）
前記第１の無線通信方式は、前記第１の基地局装置が前記移動局装置に対して割り当てた無線リソースを利用して前記第１の基地局装置と前記移動局装置が無線通信を行うスケジューリング方式であり、前記第２の無線通信方式は、搬送波周波数における無線信号の受信電力レベルに応じて無線通信を行うキャリアセンス方式である、又は、
前記第１の無線通信方式は前記キャリアセンス方式であり、前記第２の無線通信方式は前記スケジューリング方式であることを特徴する付記１記載の制御装置。
【０１６８】
（付記９）
前記第１の無線通信方式はＬＴＥ（Long Term Evolution）であり、前記第２の無線通信方式はＷＬＡＮ（Wireless Local Area Network）である、又は、
前記第１の無線通信方式はＷＬＡＮであり、前記第２の無線通信方式はＬＴＥである、ことを特徴とする付記１記載の制御装置。
【０１６９】
（付記１０）
前記第１及び第２の通信セッションはＴＣＰ（Transmission Control Protocol）方式であることを特徴とする付記１記載の制御装置。
【０１７０】
（付記１１）
移動局装置と、
前記移動局装置と無線通信を行う第１の基地局装置と、
複数の通信経路のうち少なくとも１つの通信経路を経由して前記移動局装置との間に通信セッションを設定する制御装置と
を備えた移動通信システムであって、
前記制御装置は、
第１及び第２の無線通信方式に対応した前記移動局装置との間で第１の通信セッションを確立し、確立した前記第１の通信セッションを利用して前記移動局装置から送信された前記移動局装置に関する移動局情報を受信する情報処理部と、
前記移動局情報に基づいて、前記第１及び第２の無線通信方式のうち前記第１の無線通信方式を選択する無線方式選択部と、
選択された前記第１の無線通信方式に関する情報に従って、前記第１の無線通信方式を用いて前記移動局装置と無線通信を行う前記第１の基地局装置を経由して前記制御装置と前記移動局装置との間で確立された前記第１の通信セッションを利用して、前記移動局装置へコンテンツデータを送信する経路変更処理部と
を備えることを特徴とする移動通信システム。
【０１７１】
（付記１２）
情報処理部と、無線方式選択部と、経路変更処理部とを有し、複数の通信経路のうち少なくとも１つの通信経路を経由して移動局装置との間に通信セッションを設定する制御装置における制御方法であって、
前記情報処理部により、第１及び第２の無線通信方式に対応した移動局装置との間で第１の通信セッションを確立し、確立した前記第１の通信セッションを利用して前記移動局装置から送信された前記移動局装置に関する移動局情報を受信し、
前記無線方式選択部により、前記移動局情報に基づいて、前記第１及び第２の無線通信方式のうち前記第１の無線通信方式を選択し、
前記経路変更処理部により、選択された前記第１の無線通信方式に関する情報に従って、前記第１の無線通信方式を用いて前記移動局装置と無線通信を行う第１の基地局装置を経由して前記制御装置と前記移動局装置との間で確立された前記第１の通信セッションを利用して、前記移動局装置へコンテンツデータを送信する
ことを特徴とする制御方法。
【０１７２】
（付記１３）
第１及び第２の無線通信方式に対応した移動局装置において、
複数の通信経路のうち少なくとも１つの通信経路を経由して前記移動局装置との間に通信セッションを設定する制御装置との間で第１の通信セッションを確立し、確立した前記第１の通信セッションを利用して前記移動局装置に関する移動局情報を送信する情報処理部と、
前記制御装置において前記移動局情報に基づいて第１の無線通信方式が選択され、選択された前記第１の無線通信方式を用いて前記移動局装置と無線通信を行う第１の基地局装置を経由して前記移動局装置と前記制御装置との間で確立された前記第１の通信セッションを利用して、前記制御装置から送信されたコンテンツデータを受信する経路変更処理部と
を備えることを特徴とする移動局装置。
【符号の説明】
【０１７３】
１０：移動通信システム                １００：移動局装置
１１０：ＬＴＥ送受信部                １２０：ＷＬＡＮ送受信部
１３０：無線情報管理部                １４０：ユーザ情報管理部
１５０：サービス処理部                １６０：情報処理部
１７０：経路変更処理部                １８０：ＣＰＵ
２００：ＬＴＥ基地局                  ２１０：ＬＴＥ送受信部
２２０：通信処理部                    ２３０：ネットワーク送受信部
２５０：ＣＰＵ                        ３００：アクセスポイント
３１０：ＷＬＡＮ送受信部              ３２０：通信処理部
３３０：ネットワーク送受信部          ３５０：ＣＰＵ
４００：制御装置                      ４１０：情報処理部
４２０：無線方式選択部                ４３０：経路変更処理部
４５０：ＣＰＵ                        ５００：コンテンツサーバ
【図１】
2018148478.tif 000003
【図２】
2018148478.tif 000004
【図３】
2018148478.tif 000005
【図４】
2018148478.tif 000006
【図５】
2018148478.tif 000007
【図６】
2018148478.tif 000008
【図７】
2018148478.tif 000009
【図８】
2018148478.tif 000010
【図９】
2018148478.tif 000011
【図１０】
2018148478.tif 000012
【図１１】
2018148478.tif 000013
【図１２】
2018148478.tif 000014
【図１３】
2018148478.tif 000015
【図１４】
2018148478.tif 000016
【図１５】
2018148478.tif 000017
【図１６】
2018148478.tif 000018
【図１７】
2018148478.tif 000019